(57)【特許請求の範囲】
【請求項１】
躯体の開口部に沿って設けられた既設枠に固定される、前記開口部にドアを取り付けるためのドア枠体において、
一方の竪方向の前記既設枠と、その既設枠に対向する他方の竪方向の前記既設枠とに、凹部同士が対向するようにそれぞれの竪方向の前記既設枠に固定されるカバー下地材と、該カバー下地材を覆うように、前記カバー下地材に固定されて、竪方向のそれぞれの前記既設枠に取り付けられるカバー枠体と、を備え、
上方の前記既設枠に、前記カバー下地材の一方の端面及び前記カバー枠体の一方の端面が対向し、
ドアの側面に対向する位置で、前記カバー枠体が前記カバー下地材を覆うように、前記カバー下地材に固定されて、竪方向のそれぞれの前記既設枠に取り付けられることで、前記カバー下地材と前記カバー枠体とで空間が形成され、
該空間は、前記カバー下地材の他方の端面及び前記カバー枠体の他方の端面と下方の前記既設枠とで形成された排水用空隙に連通することを特徴とするドア枠体。
【請求項２】
上方の前記既設枠に、前記カバー下地材の一方の端面を対向し、竪方向の前記既設枠の長手方向に沿って、前記カバー下地材を竪方向の前記既設枠に重なり合わせ、竪方向の前記既設枠の取付面に前記カバー下地材の背面部を、防水性の固定具を用いて固定することを特徴とする請求項１に記載のドア枠体。
【請求項３】
上方の前記既設枠に、前記カバー下地材の一方の端面及び前記カバー枠体の一方の端面を対向し、竪方向の前記既設枠の長手方向に沿って、前記カバー枠体を固定する前記カバー下地材を竪方向の前記既設枠に固定すると、前記カバー下地材の他方の前記端面、及び前記カバー枠体の他方の前記端面と、下方の前記既設枠の上面との間に排水用空隙が形成されることを特徴とする請求項１又は２に記載のドア枠体。
【請求項４】
上方の既設枠にカバー下地材の一方の端面を対向し、竪方向の既設枠の長手方向に沿って、カバー下地材の背面部を竪方向の既設枠の取付面に当接させて、前記カバー下地材の前記背面部に基づき、竪方向の前記既設枠に前記カバー下地材を固定するための位置決めを行う工程と、
位置決めを行った、竪方向の前記既設枠と前記カバー下地材と、を固定するために防水性の固定具を用いて、竪方向の前記既設枠に前記カバー下地材を固定する工程と、
竪方向の前記既設枠に前記カバー下地材を固定することで、竪方向の前記既設枠の長手方向に沿って、前記カバー下地材の他方の端面と、下方の既設枠との間に排水用空隙を形成する工程と、
竪方向の前記既設枠の前記取付面上で、カバー枠体により前記カバー下地材を覆い、前記カバー枠体を前記カバー下地材に係合させることで、前記カバー下地材と前記カバー枠体とで空間を形成し、前記カバー下地材に前記カバー枠体を仮止めする工程と、
前記カバー下地材の接合部と前記カバー枠体の接合部を固定具で固定することにより、前記カバー枠体を前記カバー下地材に固定し、前記カバー下地材と前記カバー枠体とで形成した空間を、前記カバー下地材の他方の前記端面、及び前記カバー枠体の他方の前記端面と、下方の前記既設枠との間に形成された前記排水用空隙に連通させて、竪方向の前記既設枠に前記カバー枠体を取り付ける工程と、を備えることを特徴とするドア枠体の取付工法。
【発明の詳細な説明】
【技術分野】
【０００１】
本発明は、建造物等の躯体の開口部等に取り付けられるドアの改修等の際に用いるドア枠体及びその取付工法に関する。
【背景技術】
【０００２】
従来のドア枠体に関しては、図１６から図１７に示す構造が開示されている。図１６では、既設の枠体１０１（上枠１０２、左枠１０３、右枠１０４、下枠１０５）内に装着してドア１０７を支持できるように構成するものであり、上カバー枠１１１、左右両カバー枠（左カバー枠１１２、右カバー枠１１３）、下カバー枠１１４が内部に開口部１１５を有して矩形の枠体状に一体的に連結して形成されている。上カバー枠１１１と左右両カバー枠（左カバー枠１１２、右カバー枠１１３）は、断面形状が同一で上カバー枠１１１と左カバー枠１１２、上カバー枠１１１と右カバー枠１１３との連結部は、それぞれ４５゜の傾斜面を有してお互いに当接され、溶接することによって一体的に組み付けられる。下カバー枠１１４は、左カバー枠１１２、右カバー枠１１３の下方から取り付けてねじで一体的に固着されている（特許文献１）。
【０００３】
また、図１７では、ドアの改修方法及びドアの改修構造が開示されている。具体的には、図１７（ａ）に示すように、既存縦枠２０５の内部側角部に断面Ｌ字状の内側下地金具２２８が既存縦枠２０５の全長に亘って設けられ、前記既存縦枠２０５の段差部にはスペーサ２２９を介して断面Ｌ字状の外側下地金具２３１が設けられ、記内側下地金具２２８と外側下地金具２３１に掛渡って改修用縦枠２３２が設けられている。既存縦枠２０６に断面Ｌ字状の内側下地金具２３５が既存縦枠２０６の全長に亘って設けられ、前記内側下地金具２３５の側面部２３５ｂと前記既存縦枠２０６の外面部間に掛渡って改修用縦枠２３６が設けられる。
【０００４】
図１７（ｂ）に示すように、既存上枠２１１の内面部に断面Ｌ字状の内側下地金具２３９が既存上枠２１１の全長に亘って設けられ、前記内側下地金具２３９の前記下面部２３９ｂと前記既存上枠２１１の外面部間に掛渡って改修用上枠２４１が設けられる。さらに、既存下枠２１２に改修用下枠２４４が既存下枠２１２の全長に亘りスペーサ２４２、２４３を介して固定される（特許文献２）。
【特許文献１】特開２００３−１８４４３６（段落００１５  図１）
【特許文献２】特開２００４−１１２４３（段落００２２から００３７  図１、図２）
【発明の開示】
【発明が解決しようとする課題】
【０００５】
しかしながら、上記に示す従来のドア枠体（カバー枠、改修用枠）は躯体の開口部に設けられた既設の上下枠（既存上下枠）、既設の左右枠（既存縦枠）に当接（固定）する構造であるため、新たに当接（固定）するドア枠体（カバー枠、改修用枠）の分だけ、躯体の開口部を狭めてしまうことになる。また、従来のドア枠体（カバー枠、改修用枠）は、既設の上下枠（既存上下枠）、既設の左右枠（既存縦枠）の全てに取り付けていたので部品点数も多くなり、作業効率の低下を招き易い。
【０００６】
さらに、従来のドア枠体（カバー枠、改修用枠）は実質的に一部材で構成されているものを固定具であるボルト、ナットを用いて既設の上下枠（既存上下枠）、既設の左右枠（既存縦枠）に取り付けるので、固定具が外部より見えることもあり、そうなると躯体全体の外観を損なう可能性も生じることになる。
【０００７】
また、従来のドア枠体（カバー枠、改修用枠）と、既設の上下枠（既存上下枠）、既設の左右枠（既存縦枠）との接触させての固定では、金属製部材同士の固定となることが多いため、完全に隙間がない状態、水密性を確保することは難しい。そのため、躯体の開口部のドア枠体（カバー枠、改修用枠）近傍に雨水等がかかると躯体内に容易に雨水等が侵入してくる。つまり、雨水等がドア枠体（カバー枠、改修用枠）に侵入したり、ドア枠体（カバー枠、改修用枠）だけではなく、既設の上下枠（既存上下枠）、既設の左右枠（既存縦枠）へも侵入したりする場合もある。その結果、躯体自体に悪影響、例えば、躯体の劣化を早めるといったことが起こり易くなる。
【０００８】
本発明は、上記の事情に鑑みなされたものであり、躯体の開口部をできるだけ広くし、作業効率の向上を図り、躯体の外観の維持を図ることを可能にするとともに、躯体の開口部より躯体への雨水等の侵入を防止するとともに、ドア枠体（カバー枠、改修用枠）内に侵入した雨水等の排水を可能にするドア枠体及びその取付工法を提供することを目的とする。
【課題を解決するための手段】
【０００９】
上記の目的を達成するために、請求項１に記載の発明は、躯体の開口部に沿って設けられた既設枠に固定される、前記開口部にドアを取り付けるためのドア枠体において、一方の竪方向の前記既設枠と、その既設枠に対向する他方の竪方向の前記既設枠とに、凹部同士が対向するようにそれぞれの竪方向の前記既設枠に固定されるカバー下地材と、該カバー下地材を覆うように、前記カバー下地材に固定されて、竪方向のそれぞれの前記既設枠に取り付けられるカバー枠体と、を備え、 上方の前記既設枠に、前記カバー下地材の一方の端面及び前記カバー枠体の一方の端面が対向し、 ドアの側面に対向する位置で、前記カバー枠体が前記カバー下地材を覆うように、前記カバー下地材に固定されて、竪方向のそれぞれの前記既設枠に取り付けられることで、前記カバー下地材と前記カバー枠体とで空間が形成され、  該空間は、前記カバー下地材の他方の端面及び前記カバー枠体の他方の端面と下方の前記既設枠とで形成された排水用空隙に連通することを特徴とする。
【００１０】
従って、請求項１に記載の発明によれば、それぞれの竪方向の既設枠にカバー下地材及びカバー枠体を設けるだけであり、上方向及び下方向の既設枠には新たな枠体を設けていないために、躯体の開口部を出来るだけ狭くしないでドアの交換（改修等）を可能にするとともに、上方向及び下方向の既設枠には新たな枠体の施工の必要としないために、ドア枠体の取付の作業工程が少なくなり、作業効率の向上を図ることが可能になる。
【００１１】
また、竪方向の既設枠にカバー下地材を固定することになるので、竪方向の既設枠に改修等の前に既に設けられているドアを取り付けるための孔部を覆うことが可能になるとともに、竪方向の既設枠内に予め板状部材が設けられていても（カバー下地材を固定する側の竪方向の既設枠内に予め固定された板状部材が設けられていても）、その板状部材を避けてカバー下地材を固定するための孔部を竪方向の既設枠に設けることが可能になる。その結果、ドア枠体を施工する現場においてカバー下地材を固定する孔部を穿孔する位置の柔軟な変更が可能になる。なお、カバー枠体がカバー下地材を覆うので、使用しない孔部は外部から見えなくなり外観を損なうことがない。
【００１２】
また、請求項２に記載の発明は、請求項１に記載の構成に加え、上方の前記既設枠に、前記カバー下地材の一方の端面を対向し、竪方向の前記既設枠の長手方向に沿って、前記カバー下地材を竪方向の前記既設枠に重なり合わせ、竪方向の前記既設枠の取付面に前記カバー下地材の背面部を、防水性の固定具を用いて固定することを特徴とする。
【００１３】
従って、請求項２に記載の発明によれば、竪方向の既設枠にカバー下地材を固定するに際し、防水性の固定具を用いており、具体的には、カバー下地材の小孔部と竪方向の既設枠の小孔部とを防水性の固定具で固定するために、既設枠等を伝わってくる雨水等が小孔部より既設枠内への侵入を防止することで、躯体内への雨水等の侵入を防止することが可能になり水密性の確保を可能にする。
【００１４】
さらに、請求項３に記載の発明は、請求項１又は２に記載の構成に加え、上方の前記既設枠に、前記カバー下地材の一方の端面及び前記カバー枠体の一方の端面を対向し、竪方向の前記既設枠の長手方向に沿って、前記カバー枠体を固定する前記カバー下地材を竪方向の前記既設枠に固定すると、前記カバー下地材の他方の前記端面、及び前記カバー枠体の他方の前記端面と、下方の前記既設枠の上面との間に排水用空隙が形成されることを特徴とする。
【００１５】
従って、請求項３に記載の発明によれば、上方の既設枠に、カバー下地材の一方の端面及びカバー枠体の一方の端面を対向し、例えば、上方の既設枠にカバー下地材の一方の端面及びカバー枠体の一方の端面を当接させることで（接触させることで）、カバー枠体を固定したカバー下地材を竪方向の既設枠に固定して、カバー下地材の他方の端面、及びカバー枠体の他方の端面と、下方の既設枠との間に排水用空隙を形成するために、カバー下地材とカバー枠体とで形成される空間及び既設枠、カバー下地材、及びカバー枠体で形成される空間に雨水等が入っても、カバー下地材及びカバー枠体の長手方向に沿って、雨水等がカバー下地材及びカバー枠体を伝わって、カバー下地材の他方の端面、及びカバー枠体の端面から排出され、その排水用空隙より雨水等の排水を行うことが可能になり、排水性の確保を図り躯体内への雨水等の侵入を防止することが可能になる。
【００１６】
なお、カバー下地材の他方の端面と既設枠との間の排水用空隙と、カバー枠体の他方の端面と既設枠との間の排水用空隙とが異なる場合も可能であり、一方の排水用空隙が他方の排水用空隙より大きくなる場合であっても、小さくなる場合であってもよい。このような場合に雨水等が、カバー下地材とカバー枠体とで形成される空間（及び既設枠、カバー下地材、及びカバー枠体で形成される空間）に入っても、カバー下地材及びカバー枠体の長手方向に沿って、雨水等が流れることで、カバー下地材、或いはカバー枠体の他方の端面より流れ出て、排水用空隙より雨水等の排水を行うことが可能になる。
【００１７】
また、請求項４に記載の発明は、上方の既設枠にカバー下地材の一方の端面を対向し、竪方向の既設枠の長手方向に沿って、カバー下地材の背面部を竪方向の既設枠の取付面に当接させて、前記カバー下地材の前記背面部に基づき、竪方向の前記既設枠に前記カバー下地材を固定するための位置決めを行う工程と、位置決めを行った、竪方向の前記既設枠と前記カバー下地材と、を固定するために防水性の固定具を用いて、竪方向の前記既設枠に前記カバー下地材を固定する工程と、竪方向の前記既設枠に前記カバー下地材を固定することで、竪方向の前記既設枠の長手方向に沿って、前記カバー下地材の他方の端面と、下方の既設枠との間に排水用空隙を形成する工程と、竪方向の前記既設枠の前記取付面上で、カバー枠体により前記カバー下地材を覆い、前記カバー枠体を前記カバー下地材に係合させることで、前記カバー下地材と前記カバー枠体とで空間を形成し、前記カバー下地材に前記カバー枠体を仮止めする工程と、前記カバー下地材の接合部と前記カバー枠体の接合部を固定具で固定することにより、前記カバー枠体を前記カバー下地材に固定し、前記カバー下地材と前記カバー枠体とで形成した空間を、前記カバー下地材の他方の前記端面、及び前記カバー枠体の他方の前記端面と、下方の前記既設枠との間に形成された前記排水用空隙に連通させて、竪方向の前記既設枠に前記カバー枠体を取り付ける工程と、を備えることを特徴とする。
【００１８】
従って、請求項４に記載の発明によれば、上方の既設枠にカバー下地材の一方の端面を対向し、竪方向の既設枠の長手方向に沿って、カバー下地材の背面部を竪方向の既設枠の取付面に当接させて、カバー下地材の背面部に基づき、竪方向の既設枠にカバー下地材を固定するための位置決めを行う。例えば、カバー下地材の背面部に予め設けられている小孔部に合わせて、カバー下地材の背面部と竪方向の既設枠とに小孔部を穿孔し固定するための位置決めを行うことが可能になる。
【００１９】
つぎに、位置決めを行った、竪方向の前記既設枠と前記カバー下地材と、を固定するために防水性の固定具を用いて、竪方向の前記既設枠に前記カバー下地材を固定する。例えば、上方の既設枠にカバー下地材の一方の端面を合わせて、カバー下地材を竪方向の既設枠に重ねて、重なり合った、カバー下地材の背面部に設けられた小孔部と、竪方向の既設枠の取付面に設けられた小孔部とに、防水性の固定具を挿入し、竪方向の既設枠にカバー下地材を固定することが可能になる。
【００２０】
つぎに、竪方向の既設枠にカバー下地材を固定することで、竪方向の既設枠の長手方向に沿って、カバー下地材の他方の端面と、下方の既設枠との間に排水用空隙を形成する。竪方向の既設枠よりカバー下地材は短いため、カバー下地材の他方の端面と、下方の既設枠との間に排水用空隙を形成することが可能になる。
【００２１】
つぎに、竪方向の前記既設枠の前記取付面上で、カバー枠体により前記カバー下地材を覆い、前記カバー枠体を前記カバー下地材に係合させることで、前記カバー下地材に前記カバー枠体を仮止めする。具体的には、竪方向の既設枠の取付面上で、カバー枠体を移動させ、カバー下地材の窪み部と竪方向の既設枠の取付面とで形成される隙間にカバー枠体の背面部を組み込み、カバー下地材の端部を、カバー枠体の、背面部から延びる屈曲部と背面部とで挟み込むことでカバー下地材にカバー枠体を仮止めする。つまり、カバー下地材の窪み部と竪方向の既設枠の取付面とで形成される隙間にカバー枠体の背面部を組み込み、カバー下地材の端部をカバー枠体の背面部と屈曲部とで挟み込むことになるためカバー下地材にカバー枠体を仮止めすることが可能になる。
【００２２】
つぎに、カバー下地材の接合部とカバー枠体の接合部を固定具で固定することにより、カバー枠体をカバー下地材に固定し、竪方向の既設枠に前記カバー枠体を取り付ける。カバー下地材は竪方向の既設枠に固定されているため、カバー枠体をカバー下地材に固定することでカバー枠体は竪方向の既設枠に取り付けが可能になる。
【００２３】
さらに、カバー枠体の戸当たり部にさや部を組み込み、このさや部に水密材である戸当たりゴムを取り付け、上方及び下方の既設枠の戸当たり部にさや部を組み込み、このさや部に水密材である戸当たりゴムを取り付け、カバー下地材の凹部とカバー枠体の凹部とにより形成される空間を利用して丁番を取り付け、ドアを吊り込むことが可能である。
【発明の効果】
【００２４】
本発明によれば、それぞれの竪方向の既設枠にドア枠体（カバー下地材及びカバー枠体）を設けて固定しているだけなので躯体の開口部の上下方向の有効開口を狭めることもなくなり、ドアの交換（改修等）前と実質的に同様に使用できる。また、躯体の開口部に設けられている全ての既設枠にドア枠体（カバー下地材及びカバー枠体）を設けてはいないので、ドア枠体の取付の作業効率の向上を図れる。また、本発明のドア枠体の固定に際しては、固定具であるボルト、ナットをドアの側面に対向する位置に用いており、カバー枠体で覆われているので、固定具がドアを閉めた状態では外部から見えなくなり外観を損なうことがない。
【００２５】
また、カバー下地材の小孔部と竪方向の既設枠の小孔部とを防水性の固定具で固定するために、金属製のカバー下地材と金属製の既設枠との固定であっても、既設枠内への雨水等の侵入を防止することができ、水密性の確保を図ることができる。また、雨水等がカバー下地材とカバー枠体とで形成される空間（及び既設枠、カバー下地材、及びカバー枠体で形成される空間）に入っても、カバー下地材の他方の端面及びカバー下地材に固定されたカバー枠体の他方の端面と、下方の既設枠との間に排水用空隙が形成されているので、雨水等をカバー下地材の他方の端面、或いはカバー枠体の他方の端面）から排出することで、ドア枠体と既設枠との間に侵入した雨水等の排水性の確保を図ることができ、躯体内への雨水等の侵入を防止できる。
【発明を実施するための最良の形態】
【００２６】
以下、本発明を実施するための最良の形態について図面を参照して説明する。
【００２７】
図１に本発明であるドア枠体１に組み込んだドア５が示されている。図１では、ドア５及び、ドア５を挟む竪方向の既設枠である既設枠６、６に設けられたドア枠体１を構成するカバー下地材２及びカバー枠体３を横断方向から示している。既設枠６、６は、図１に示すように、ドア５を挟むように、躯体の開口部１０に設けられており、既設枠６、６内は中空になっている。既設枠６、６の屋内側の端部の連結部６２、６２がドア５方向へ延びて断面略コ字状の支持部（既設枠の戸当たり部）６３、６３が形成されている。そして、既設枠６、６には、図１に示すように、カバー下地材２、２の凹部２ｃ、２ｃ同士が対向するようにカバー下地材２、２が固定されている。また、カバー枠体３、３が、カバー下地材２、２を覆うようにカバー下地材２、２に固定されて、既設枠６、６に取り付けられている。
【００２８】
カバー下地材２は、図２に示すように、凹部２ｃである断面略Ｃ字状部２１と断面略コ字状部２３とから構成されている。また、図示していないが、カバー下地材２は、カバー下地材２が固定される既設枠６の長手方向に沿って延びている。そして、カバー下地材２、２の凹部２ｃは、図１に示すように、ドア５の側面５１に対向するように固定されることになる。より具体的には、既存枠６、６に取り付けられたカバー下地材２、２の、断面略Ｃ字状部２１、２１の開口２２、２２同士、断面略コ字状部２３、２３の開口２４、２４同士が対向することになる。
【００２９】
カバー下地材２の背面部２５は、既設枠６の取付面６１に取り付けられるように、取付面６１に接触可能な面をなしている。カバー下地材２の断面方向の両端は、図２（ａ）に示すように、背面部２５に対して略直角方向で一方の側に、端部２７、２８が延びている。端部２７、２８は背面部２５から略同一の長さに設定されている。端部２７では先端が狭い平面状の形状（平面部２７ａ）を形成している。
【００３０】
また、端部２８寄りに、背面部２５に対して略直角方向で一方の側に、突出部２９が延びており、端部２７，２８とほぼ同じ長さに設定されている。この突出部２９の先端も狭い平面状の形状（平面部２９ａ）に形成されている。突出部２９の先端近傍からは端部２７方向へ向けて、突出部２９に対して略直角方向に接合部２９ｂが延びて形成されている。接合部２９ｂでは、図２に示すように、接合部２９ｂの先端が突出部２９の先端（平面部２９ａ）と同一方向に狭い平面状の形状（平面部２９ｃ）が形成されている。
【００３１】
また、端部２７が形成されている背面部２５の他方の側では、窪み部２６が形成されており、カバー下地材２が既設枠６に固定されたときに（取り付けられたときに）、カバー下地材２と既設枠６との間で隙間が形成されるようになっている。この窪み部２６は、図２に示すように、端部２７近傍までは一定の深さの面押し部２６ａが形成されており、端部２７近傍では傾斜面２６ｂを形成し、面押し部２６ａと傾斜面２６ｂとが連続している。傾斜面２６ｂは、図２に示すように、面押し部２６ａから端部２７に向かって既設枠６との隙間が大きくなるように（開くように）、傾斜して形成されている。さらに、端部２８が形成されている背面部２５の他方の側では、端部２８近傍に突出部２５ｃが形成されている。また、背面部２５には、背面部２５を貫通する小孔部２５ａが、カバー下地材２の長手方向に沿って、複数穿孔されている。
【００３２】
本例で示すカバー下地材２は、押出し成形により形成したものであるが、この方法に限定されることはなく、他の方法で形成することも可能である。
【００３３】
つぎに、このカバー下地材２を覆うことになるカバー枠体３について説明する。カバー枠体３は、図３に示すように、複数の断面略コ字状の部材を合わせたような形状をなしている。カバー枠体３の背面部３１は既設枠６の取付面６１に取り付けられるように、取付面６１に接触可能な面をなしている。背面部３１の一端からは端部３２が、背面部３１に対して略直角方向へ延びている。端部３２が背面部３１に対して略直角方向へ延びる長さは、カバー下地材２の端部２７を覆うことのできる長さである。
【００３４】
具体的には、カバー枠体３の端部３２の先端部３２ａより、端部３２に対して略直角方向に続く屈曲部３３を形成した際に、カバー下地材２の端部２７を背面部３１と屈曲部３３で挟み込むことができる長さに設定してある。また、端部３２に対して略直角方向に続く屈曲部３３を形成することで、背面部３１、端部３２、及び屈曲部３３により断面略コ字状部が形成される。屈曲部３３から背面部３１に対して略平行方向に延び、屈曲部３３の先端部３３ａより、図３に示すように、屈曲部３３に対して略直角方向に、端部３２に対して略平行方向に連結部３４が延びている。
【００３５】
そして、連結部３４の先端部３４ａより、連結部３４に対して略直角方向に、屈曲部３３（背面部３１）に対して略平行方向に平面部３５が延びている。この平面部３５は、カバー下地材２にカバー枠体３を組み込んだときに、カバー下地材２の接合部２９ｂ近傍まで延びている。平面部３５が延びた先端部３５ａより、平面部３５に対して略直角方向に、連結部３４に対して略平行に連結部３６が延びている。このようにして、平面部３５及び連結部３４、３６により断面略コ字状部が形成され、カバー枠体３の凹部３ｃを形成している。
【００３６】
連結部３６の先端部３６ａより、連結部３６に対して略直角方向に、平面部３５に対して略平行方向に接合部３７が延びている。接合部３７は、カバー下地材２にカバー枠体３を組み込んだときに、接合部３７が接合部２９ｂと重なり合うことが可能になるように延びている。接合部３７の先端部３７ａからは、接合部３７に対して略直角方向に、連結部３６に対して略平行方向に連結部３８が延び、連結部３８の先端部３８ａからは、連結部３８に対して略直角方向に、接合部３７に対して略平行方向に端部３９が延びている。
【００３７】
端部３９の先端部３９ｄからは、端部３９に対して略直角方向に端面部３９ａが延びている。端面部３９ａは、カバー下地材２にカバー枠体３を組み込んだときに、カバー下地材２の端部２８の先端部２８ａが近接するところまで延びている。そして、端面部３９ａから連結部３９ｂが延びている。連結部３９ｂには、断面略コ字状の戸当たり部３９ｃが、設置されるドアに対向するように形成されている。
【００３８】
本例で示すカバー枠体３は、押出し成形により形成したものであるが、この方法に限定されることはなく、他の方法で形成することも可能である。
【００３９】
本例での、カバー下地材２及びカバー枠体３は上記に示す形状であるが、カバー下地材２及びカバー枠体３は、上記の形状に限定されることはない。カバー下地材２及びカバー枠体３は、基本的にカバー下地材の凹部２ｃとカバー枠体３の凹部３ｃとが重なり合って空間を形成し、既設枠６にカバー下地材２が固定されたときに、カバー下地材２と既設枠６とで形成される隙間でカバー枠体３を仮止めできる形状であればよい。
【００４０】
図１では、既設枠６にカバー下地材２を固定し、カバー枠体３をカバー下地材２に固定し既設枠６に取り付けた状態が示してある。既設枠６の取付面６１にカバー下地材２の背面部２５が複数の防水性の固定具であるボルト１７及びナット１５で固定されている。このカバー下地材２に対してカバー枠体３は、カバー枠体３の背面部３１が既設枠６の取付面６１とカバー下地材２の面押し部２６ａとの間で形成される隙間に入り込んでおり、カバー下地材２の端部２７の先端（平面部２７ａ）、突出部２９の先端（平面部２９ａ）、及び平板部２９ｃが、カバー枠体３の屈曲部３３、接合部３７に接触して支持している。また、カバー下地材２の端部２８の先端がカバー枠体３の端面部３９ａの縁近傍に近接している。
【００４１】
そして、図１に示すように、カバー下地材２とカバー枠体３との固定は、カバー下地材２の接合部２９ｂとカバー枠体３の接合部３７とをタッピングネジ１３を用いることにより行われている。この固定により、カバー下地材２とカバー枠体３とが一体になり既設枠６の取付面６１に固定されている。さらに、既設枠６の支持部（既設枠の戸当たり部）６３には水密材６４が取り付けられており、支持部（既設枠の戸当たり部）６３には端部２８の端面２８ｂが当接している。
【００４２】
図４には、躯体の、ドア５が取り付けられる開口部１０が、既設枠６の長手方向より示してある。ドア枠体１の上方には、上方の既設枠である既設枠８が躯体の開口部１０の上側に設置されており、ドア枠体１の下方には、下方の既設枠である既設枠９が躯体の開口部１０の下側に設置されている。既設枠８の開口部１０近傍では、連結部８１が下方へカバー下地材２及びカバー枠体３と略平行方向に延びて、断面略コ字状の戸当たり部８１ａが形成されている。この戸当たり部８１ａには、さや部８１ｂが組み込まれており、このさや部８１ｂに戸当たりゴム８１ｃが取り付けられている。
【００４３】
また、既設枠９の開口部１０近傍では、端部より連結部９１が上方へカバー下地材２及びカバー枠体３と略平行方向に延びて、断面略コ字状の戸当たり部９１ａが形成されている。この戸当たり部９１ａには、さや部９１ｂが組み込まれており、このさや部９１ｂに戸当たりゴム９１ｃが取り付けられている。以上のように、既設枠８、９の戸当たり部８１ａ、９１ａにさや部８１ｂ、９１ｂが組み込まれ、戸当たりゴム８１ｃ、９１ｃが取り付けられ、躯体の開口部１０の横断方向へ延びている。図４では、躯体の開口部１０にドア５が取り付けられて開口部１０を閉じた場合のドア５の屋内側の面部５２に戸当たりゴム８１ｃ、９１ｃが当接した状態が示してある。
【００４４】
図４では、既設枠８に、カバー下地材２の一方の端面２ａ及びカバー枠体３の一方の端面３ａを対向し、例えば、既設枠８にカバー下地材２の一方の端面２ａ（及びカバー枠体３の一方の端面３ａ）を当接させて（接触させて）、既設枠６の長手方向に沿って、カバー下地材２の背面部２５を既設枠６の取付面６１に当接させて（接触させて）固定してある。カバー下地材２及びカバー枠体３は、既設枠６より短いため、カバー下地材２の他方の端面２ｂ（及びカバー枠体の他方の端面３ｂ）と、既設枠９との間に排水用空隙Ｓが形成されることになる。
【００４５】
本例では、カバー下地材２とカバー枠体３との長さを同じに設定してあるが、特に同じ長さに限定されるものではない。カバー下地材２がカバー枠体３より長くてもよく、カバー下地材２がカバー枠体３より短くてもよい。基本的には、既設枠９と、カバー下地材２、及びカバー枠体３とで排水用空隙を形成し、カバー下地材２とカバー枠体３とで形成される空間（及び既設枠６、カバー下地材２、及びカバー枠体３で形成される空間）に入り込んだ雨水等がカバー下地材２（或いはカバー枠体３）の長手方向に沿って流れることで、雨水等がカバー下地材２の他方の端面２ｂ（或いは、カバー枠体３の他方の端面３ｂ）より排水できればよい。
【００４６】
以上のように、既設枠９と、カバー下地材２の他方の端面２ｂ（及びカバー枠体３の他方の端面３ｂ）との間に排水用空隙Ｓを設けることで、雨水等がカバー下地材２とカバー枠体３とで形成される空間（及び既設枠６、カバー下地材２、及びカバー枠体３で形成される空間）に入っても、カバー下地材２及びカバー枠体３の長手方向に沿って、雨水等が流れることで、カバー下地材２の他方の端面２ｂ、或いはカバー枠体３の他方の端面３ｂより流れ出て、排水用空隙Ｓより雨水等の排水を行うことが可能になり、躯体内への雨水等の侵入を防止することが可能になっている。
【００４７】
つぎに、本発明であるドア枠体１の取付方法を中心にドア交換方法について図５から図１３までを主に用いて説明する。
【００４８】
既設枠６、６の屋内側の端部の連結部６２から延びている断面略コ字状の支持部（既設枠の戸当たり部）６３、６３に既に付いている図示しない戸当たり用の気密材を取り外す。気密材の取り外しに際しては、支持部（既設枠の戸当たり部）６３に新たに水密材６４の貼り付けを行うことや、支持部（既設枠の戸当たり部）６３がカバー下地材２の端面２８ａに当接することを考慮して完全に気密材を取り除く。そして、気密材を取り除いた支持部（既設枠の戸当たり部）６３には、断面略コ字状部の開口部６３ａを覆う水密材６４を貼り付ける。水密材６４は、図５に示すように、断面略コ字状部の開口部６３ａを覆うことになり、図示しない躯体の開口部１０の長手方向に沿って形成されている支持部（既設枠の戸当たり部）６３の断面略コ字状部の開口部６３ａを覆う。
【００４９】
（既設枠６とカバー下地材２との位置決め工程）
つぎに、既設枠８に、カバー下地材２の一方の端面２ａ及びカバー枠体３の一方の端面３ａを対向し、例えば、本例では、既設枠８の端面８ａにカバー下地材２の一方の端面２ａを当接させる（接触させる）（図４参照）。それと同時に、既設枠６の長手方向に沿って、カバー下地材２の背面部２５を既設枠６の取付面６１に当接させる（接触させる）。このカバー下地材２には、図６（ｂ）に示すように、予め複数の小孔部２５ａが穿孔されている。この小孔部２５ａの大きさは、特に限定されていないが、カバー下地材２、２の小孔部２５ａより既設枠６、６が確認できればよい。
【００５０】
そして、カバー下地材２に予め穿孔された小孔部２５ａから確認できる、既設枠６の取付面６１の、小孔部２５ａに対応する位置に、図６（ａ）に示すように、矢印方向よりドリル１００を用いて小孔部２５ａより大きい径の小孔部２５ｂ、６５をカバー下地材２の背面部２５と既設枠６の取付面６１に穿孔する。つまり、カバー下地材２の背面部２５に設けられている小孔部２５ａに合わせてカバー下地材２及び既設枠６を穿孔することにより、カバー下地材２の小孔部２５ａは拡径されて小孔部２５ｂになり、既設枠６の取付面６１には小孔部６５が設けられる。本例では、ドリル１００を用いて穿孔するカバー下地材２の小孔部２５ｂ及び既設枠６の取付面６１の小孔部６５の径は約４．５ｍｍであるが、この約４．５ｍｍに限定されるものではなく、防水性の固定具により径を決めればよい。以上のようにして、カバー下地材２の背面部２５に基づき、既設枠６にカバー下地材２を固定するための位置決めが行われたことになる。
【００５１】
なお、図６（ｂ）で示す点線の矩形形状は丁番１１の取付位置が示されており、穿孔に際してはこの部分を避けている。つまり、図６（ｂ）に示すように、丁番１１の取付位置（点線で示す位置）を挟み込むように穿孔し、その穿孔したところに将来固定具を取り付けることで、ドア５開閉時に負荷がかかる丁番１１に対しての丁番１１位置の強度を上げることを可能にしている。そして、穿孔後、カバー下地材２を既設枠６、８から外し、既設枠６の小孔部６５の径を大きくするために図示しないドリル等により小孔部６５を拡径する。この小孔部６５は、本例では、図示しないドリル等により径を約８ｍｍとしているが、約８ｍｍに限定されるものではなく、防水性の固定具により径を決めればよい。
【００５２】
（既設枠６にカバー下地材２固定する工程）
つぎに、既設枠６の取付面６１に設けられた拡径された小孔部６５に防水性の固定具を挿入する。具体的には、図７に示すように、拡径された小孔部６５にシール効果のあるゴム製ナット１５を差し込む。本例でのゴム製ナット１５の用い方は、図９に示してある。図９（ａ）に示すように、小孔部６５に差し込まれたゴム製ナット１５は、小孔部６５より径が大きいリング状部１５ｂにより小孔部６５で保持される。
【００５３】
そして、既設枠８を基準に、本例では、カバー下地材２の一方の端面２ａを既設枠８の端面８ａに当接させる（接触させる）とともに、カバー下地材２の背面部２５を既設枠６、６の取付面６１、６１に当接させる（接触させる）。その結果、図９（ｂ）に示すように、既設枠６の小孔部６５上に、カバー下地材２の小孔部２５ｂより大きいリング状部１５ｂを介してカバー下地材２の小孔部２５ｂが重なる。カバー下地材２の小孔部２５ｂから、図７及び図９（ｂ）に示すように、図７に示す矢印方向よりボルト１７を挿入し、ゴム製ナット１５のナット部１５ｃと螺合させる。
【００５４】
図９（ｃ）に示すように、ボルト１７とゴム製ナット１５のナット部１５ｃとをドライバー１０１により、螺合させていくと、リング状部１５ｂは、カバー下地材２の背面部２５と既設枠６の取付面６１に挟まれて挟圧されるため、小孔部２５ｂ、６５の周りに吸着させられる。同時に、ナット部１５ｃが小孔部６５方向へ移動し、ナット部１５ｃを覆っているゴム部１５ｄも小孔部６５方向へ移動しリング状部１５ａを形成する。
【００５５】
その結果、図９（ｃ）に示すように、ナットの頭部１７ａとリング状部１５ｂとで小孔部２５ｂの周りをきつく締め付け、小孔部６５より大きい径の二段構造のリング状部１５ａ、１５ｂにより小孔部６５の周りをきつく締め付ける。そのため、小孔部２５ｂ、６５へのリング状部１５ａ、１５ｂの密着の度合いが大きくなる。つまり、リング状部１５ａ、１５ｂはゴム製であるため、小孔部２５ｂ、６５の周りの水密性が確保される。従って、小孔部２５ｂ、６５から既設枠６内への雨水等の侵入を防止することが可能になる。
【００５６】
また、ドライバー１０１によりボルト１７をゴム製ナット１５のナット部１５ｃに螺合させて螺進させると、カバー下地材２の背面部２５と既設枠６の取付面６１にゴム製ナット１５のリング状部１５ｂが挟まれた状態になり、カバー下地材２の背面部２５より突出した状態になる。ただし、背面部２５には突出部２５ｃが形成されているため、既設枠６の取付面６１にカバー下地材２の背面部２５を当接させても（接触させても）、カバー下地材２の背面部２５は既設枠６の取付面６１と平行な状態になる。このようにして、既設枠８の端面８ａにカバー下地材２の一方の端面２ａが当接し（接触し）、カバー下地材２の背面部２５が既設枠６、６の取付面６１、６１に当接した（接触した）状態で、カバー下地材２が既設枠６、６、８に固定される。
【００５７】
本例では、一例として既設枠６の取付面６１の小孔部にゴム製ナット１５を差し込む例を示したが、特にこのゴム製ナット１５を用いることに限定されない。このゴム製ナット１５以外では、例えば、水密ワッシャを用いることも可能である。具体的には、ボルト１７のボルトねじが設けられているところに水密ワッシャを通し、ボルト１７と、既設枠６内に配置されたナットと螺合させ、カバー下地材２の背面部２５と既設枠６の取付面６１とで水密ワッシャを挟み込み水密性を確保するというものである。他の例としては、これは、例えば、ボルトの頭部に防水部材が設けられていて、ボルトとナットとの螺合が完了したときに、ボルトの頭部の防水部材を潰して背面部２５の小孔部２５ａを覆い隠すことで水密性を確保するというものである。
【００５８】
（カバー下地材２と、既設枠９との間に排水用空隙を形成する工程）
以上のように、既設枠８に、カバー下地材２の一方の端面２ａを対向し、本例では、既設枠８の端面８ａにカバー下地材２の一方の端面２ａを当接させて（接触させて）、既設枠６の長手方向に沿って、カバー下地材２の背面部２５を既設枠６の取付面６１に当接させて（接触させて）、カバー下地材２の背面部２５に設けられた小孔部２５ｂと、既設枠６の取付面６１に設けられた小孔部６５とを重なり合わせた状態で固定し、カバー下地材２を固定した既設枠６の長手方向に沿って、カバー下地材２の他方の端面２ｂと、既設枠９との間に排水用空隙Ｓを形成する。
【００５９】
（カバー下地材２にカバー枠体を仮止めする工程）
つぎに、既設枠６の取付面６１上で、カバー枠体３によりカバー下地材２を覆い、カバー枠体３をカバー下地材２に係合させることで、カバー下地材２にカバー枠体３を仮止めする。具体的には、既設枠６の取付面６１上で、カバー枠体３を移動させ（スライドさせ）、カバー下地材２の窪み部２６と既設枠６の取付面６１とで形成される隙間Ｖにカバー枠体３の背面部３１を組み込み、カバー下地材２の接合部２９ｂにカバー枠体３の接合部３７を重なり合わせてカバー下地材２にカバー枠体３を仮止めする。
【００６０】
つまり、まず、カバー枠体３の背面部３１を既設枠６の取付面６１に接触させる。接触に際しては、図１０に示すように、カバー枠体３の背面部３１が既設枠６の取付面６１に沿うようにする。この状態で、背面部３１を取付面６１に沿って移動し、取付面６１とカバー下地材２の傾斜面２６ｂとで形成される隙間Ｖに到達する。背面部３１に対して傾斜面２６ｂは、図１０に示すように、開いた状態になっているので容易にカバー下地材２の窪み部２６と取付面６１とで形成される隙間Ｖに入り易くなる。
【００６１】
そして、図１０に示す矢印方向に沿って、既設枠６の取付面６１上で、カバー枠体３を移動させ、カバー下地材２の窪み部２６と既設枠６の取付面６１とで形成される隙間Ｖにカバー枠体３の背面部３１を組み込むことで、カバー枠体３の接合部３７がカバー下地材２の平面部２７ａを移動し、平面部２９ｃ及び平面部２９ａへ移動し、カバー枠体３の屈曲部３３が平面部２７ａへ移動する。このとき、カバー下地材２の端部２７を、カバー枠体３の、屈曲部３３と背面部３１とで挟み込むことでカバー下地材２にカバー枠体３が仮止めされた状態（取り付けられた状態）になる。このとき同時に、カバー枠体３の接合部３７がカバー下地材２の接合部２９ｂとが対向する。また、カバー下地材２の凹部２ｃとカバー枠体３の凹部３ｃとが重なり合って空間を形成する。この空間内は、ドア５を吊り込むための丁番１１を取り付ける際に、丁番１１を取り付けるための固定具が組み込まれることになる。
【００６２】
（カバー枠体３をカバー下地材２に固定し、既設枠６にカバー枠体３を取り付ける工程）
このように仮止めされた状態では、カバー下地材２の平面部２７ａがカバー枠体３の屈曲部３３と接触しており、カバー下地材２の平板部２９ｃ及び平板部２９ａがカバー枠体３の接合部３７に接触している。そのため、本例では、カバー下地材２の接合部２９ｂとカバー枠体３の接合部３７とは接触せずに対向している。このように、接合部２９ｂと接合部３７と対向させた状態で、タッピングネジ１３を用いて、図１２に示すように、接合部２９ｂと接合部３７とを貫通して固定する。以上により、カバー枠体３をカバー下地材２に固定し、既設枠６にカバー枠体３を取り付ける。なお、本例においては、カバー下地材２の接合部２９ｂとカバー枠体３の接合部３７とは接触させていないが、カバー下地材２の接合部２９ｂとカバー枠体３の接合部３７とを接触させてタッピングネジ１３で固定することも可能である。
【００６３】
図１２では示していないが、タッピングネジ１３を用いた接合部２９ｂと接合部３７との連結は、カバー下地材２及びカバー枠体３の長手方向に沿って行われる。そして、連結に用いられるタッピングネジ１３同士の間隔はカバー下地材２及びカバー枠体３の強度等を考慮して決定される。このように、接合部２９ｂと接合部３７とを連結することで、カバー枠体３をカバー下地材２に固定することができ、カバー枠体３を固定したカバー下地材２の既設枠６への固定が完了する。
【００６４】
なお、本例では、カバー枠体３を固定したカバー下地材２の、既設枠６の長手方向に沿って、既設枠６への固定が完了したときには、カバー下地材２を固定した既設枠６の長手方向に沿って、カバー枠体３の他方の端面３ｂと、既設枠９との間にも排水用空隙Ｓを形成している。ただし、本例のように、カバー下地材２の他方の端面２ｂ及びカバー枠体３の他方の端面３ｂと既設枠９との間に同じ排水用空隙Ｓを形成する必要はなく、カバー下地材２の他方の端面２ｂと既設枠９との間の排水用空隙の大きさと、カバー枠体３の他方の端面３ｂと既設枠９との間の排水用空隙の大きさとが異なる場合であってもよい。つまり、いずれか一方の排水用空隙が他方の排水用空隙より大きくなってもよいし、小さくなってもよい。
【００６５】
本例においては、カバー枠体３をカバー下地材２に固定する前に、カバー枠体３の戸当たり部３９ｃにさや部３９ｃ１を組み込み、このさや部３９ｃ１に戸当たりゴム３９ｃ２を組み込んでいるが、カバー枠体３をカバー下地材２に組み込んだ後に戸当たり部３９ｃにさや部３９ｃ１を組み込み、このさや部３９ｃ１に戸当たりゴム３９ｃ２を組み込むことも可能である。
【００６６】
既設枠８については、図１３に示すように、連結部８１より延びる戸当たり部８１ａにさや部８１ｂを組み込み、このさや部８１ｂに戸当たりゴムである水密材８１ｃを組み込み、既設枠９については、図１３に示すように、連結部９１より延びる戸当たり部９１ａにさや部９１ｂを組み込み、このさや部９１ｂに戸当たりゴムである水密材９１ｃを組み込む。以上のように、既設枠６、６にカバー下地材２及びカバー枠体３を固定し、既設枠８、９の戸当たり部８１ａ、９１ａにさや部８１ｂ、９１ｂ及び水密材８１ｃ、９１ｃを組み込むことで躯体の開口部１０の既設枠６、６、８、９にドア５を取り付ける施工が完了する。なお、予め水密材８１ｃ、９１ｃをさや部８１ｂ、９１ｂに組み込んでおくことも可能である。
【００６７】
そして、最後にカバー下地材２及びカバー枠体３の図示しない長手方向の丁番１１を取り付ける位置に丁番１１を、カバー下地材２及びカバー枠体３により形成される空間を利用して丁番１１を取り付け、図１に示すように、ドア５を吊り込む。ドア５の錠等の調整を行ってドア５の取り付けが完了する。
【００６８】
つぎに、本発明であるドア枠体１を用いて躯体の開口部１０に吊り込まれたドア５の特徴な機構を簡単に説明する。
【００６９】
改修等により躯体の開口部１０に吊り込まれたドア５は、改修等の前のドアと同様に、開閉等の動作を行う。ただし、このドア５（躯体の開口部１０）に雨水等が降りかかると本発明であるドア枠体１がドア枠体１の水密装置としての働きを発揮する。具体的には、ドア５に雨水等が降りかかると、ドア５全面に雨水等がかかるだけではなく、ドア５の周りに設けられている既設枠６、６、８、９やカバー下地材２やカバー枠体３にも雨水等がかかる。このように躯体の開口部１０全面に雨水等がかかると躯体の開口部１０の隙間に雨水等が侵入してくる。
【００７０】
そのような場合、特に、メタルタッチ部（金属製部材同士の接触部）に雨水等は侵入し易い。本例でのカバー下地材２、カバー枠体３、及び既設枠６、８、９は金属製部材であり、図１４で示すように、既設枠６とカバー枠体３との接触位置はメタルタッチ部であるため、隙間ができ易く、金属製部材と防水性の固定具（ゴム製ナット１５）と接触している位置に比べ雨水等の侵入は避けられない。
【００７１】
つまり、ドア５（躯体の開口部１０）に雨水等が降りかかると、矢印Ａ方向より雨水等が既設枠６とカバー枠体３との接触位置へ入ってくる。既設枠６とカバー枠体３との接触位置へ入ってきた雨水等は、矢印Ｂ方向へ流れ、ゴム製ナット１５が挿入されているカバー下地材２の小孔部２５ｂと既設枠６の小孔部６５へ向かって流れる。
【００７２】
ゴム製ナット１５が挿入されているカバー下地材２の小孔部２５ｂと既設枠６の小孔部６５へ流れてきても、ここではゴム製ナット１５が小孔部２５ｂ、６５をシールしているために水密性が確保され、基本的には、雨水等は既設枠６内には入らない。しかしながら、図１４に示すように、矢印Ｂ方向へ流れることで小孔部２５ｂ、６５までの途中にあるカバー枠体３の背面部３１の先端とカバー下地材２の面押し部２６ａとの間の隙間Ｒに雨水等が入り込むことはある。そのような場合、さらに、矢印Ｃ方向に沿って雨水等が流れカバー枠体３の端部３２とカバー下地材２の端部２７とにより形成される隙間Ｔに流れ込み、さらに、矢印Ｄ方向に沿って、平板部２７ａと屈曲部３３とのメタルタッチ部からカバー下地材２とカバー枠材３とにより形成される空間に流れ込む。また、丁番１１の取付ねじ１９周りからもカバー下地材２とカバー枠材３とにより形成される空間に雨水等が流れ込む。
【００７３】
このように、既設枠６と、カバー下地材２及びカバー枠体３との間の隙間Ｒや、カバー下地材２とカバー枠体３に形成される空間に流れ込んだ雨水等は、図１５に示すように、矢印Ｅ方向に沿って、既設枠９方向へ流れる。つまり、雨水等は、既設枠６、カバー下地材２、及びカバー枠体３の長手方向に沿って既設枠６、カバー下地材２、及びカバー枠体３を流れる。カバー下地材２の他方の端面２ｂ（及びカバー枠体３の他方の端面３ｂ）と既設枠９との間には排水用空隙Ｓが設けられているため、雨水等はカバー下地材２及びカバー枠体３から流れ出て、矢印Ｆ方向に沿って流れ、既設枠６、カバー下地材２、及びカバー枠体３から排水される。
【００７４】
本発明のドア枠体１は、単に躯体の開口部１０の改修等に際して、躯体の開口部１０を狭めないという構成だけではない。躯体の開口部１０に雨水等が降りかかった場合において、その雨水等に対しての水密性を確保するとともに、ドア枠体１を通じて雨水等を外部へ排水するドア枠体１の水密装置としての機能も備えている。従って、本発明であるドア枠体１をドア枠体の水密装置として捉えることも可能である。
【図面の簡単な説明】
【００７５】
【図１】本発明であるドア枠体を用いてドアを組み付けた状態を横断面方向から示す説明図である。
【図２】本発明であるドア枠体を構成するカバー下地材の断面方向から示す説明図である。
【図３】本発明であるドア枠体を構成するカバー枠体の断面方向から示す説明図である。
【図４】本発明であるドア枠体を用いてドアを組み付けた状態を躯体の竪方向の既設枠の長手方向から示す説明図である。
【図５】本発明であるドア枠体の取付工法における、竪方向の既設枠に水密材を取り付ける工程を示す説明図である。
【図６】本発明であるドア枠体の取付工法における、カバー下地材及び竪方向の既設枠に小孔部を穿孔する工程を示す説明図である。  （ａ）は、カバー下地材と竪方向の既設枠とを重ね合わせてドリルを小孔部を形成する状況を示す説明図である。  （ｂ）は、カバー下地材に穿孔した小孔部と予め設けられていた小孔部との比較できるように示した説明図である。
【図７】本発明であるドア枠体の取付工法における、カバー下地材を竪方向の既設枠にゴム製ナットとボルトで固定する工程を示す説明図である。
【図８】本発明であるドア枠体の取付工法における、カバー下地材を竪方向の既設枠に防水性の固定具で固定する工程を示す説明図である。
【図９】本発明であるドア枠体の取付工法における、防水性の固定具の一例を示す説明図である。（ａ）は、一例の防水性の固定具を竪方向の既設枠の小孔部へ配置する工程を示す説明図である。（ｂ）は、竪方向の既設枠の小孔部へカバー下地材２の小孔部を重なり合わせ、一例の防水性の固定具を固定する工程を示す説明図である。（ｃ）は、竪方向の既設枠の小孔部へカバー下地材２の小孔部を重なり合わせ、一例の防水性の固定具を固定している工程を示す説明図である。
【図１０】本発明であるドア枠体の取付工法における、竪方向の既設枠にカバー枠体を取り付ける（カバー下地材にカバー枠体を固定する）工程を示す説明図である。
【図１１】本発明であるドア枠体の取付工法における、竪方向の既設枠にカバー枠体を取り付ける（カバー下地材にカバー枠体を固定する）工程を示す説明図である。
【図１２】本発明であるドア枠体の取付工法における、竪方向の既設枠にカバー枠体を取り付ける（カバー下地材にカバー枠体を固定する）工程を示す説明図である。
【図１３】本発明であるドア枠体の取付工法における、上方及び下方の既設枠の戸当たり部に水密材を取り付ける工程を示す説明図である。
【図１４】躯体の開口部に雨水等が降りかかった際に、躯体内での雨水等の流れを示す説明図である。
【図１５】躯体の開口部に雨水等が降りかかった際に、躯体内での雨水等の流れを示す説明図である。
【図１６】従来の取替えカバーを既設の枠に装着した状態を示す正面図である。
【図１７】従来のドアの改修構造を示す説明図である。（ａ）は、従来のドアの改修構造を示す横断面図である。（ｂ）は、従来のドアの改修構造を示す縦断面図である。
【符号の説明】
【００７６】
１…ドア枠体
２…カバー下地材、２ａ…一方の端面、２ｂ…他方の端面、２ｃ…凹部、２１…断面略Ｃ字状部、２２、２４…開口、２３…断面略コ字状部、２５…背面部、２５ａ、２５ｂ…小孔部、２５ｃ…突出部、２６…窪み部、２６ａ…面押し部、２６ｂ…傾斜面、２７、２８…端部、２７ａ…平面部、２８ａ…先端部、２９…突出部、２９ａ…平面部、２９ｂ…接合部、２９ｃ…平面部、
３…カバー枠体、３ａ…一方の端面、３ｂ…他方の端面、３ｃ…凹部、３１…背面部、３２…端部、３２ａ…先端部、３３…屈曲部、３３ａ…先端部、３４…連結部、３４ａ…先端部、３５…平面部、３５ａ…先端部、３６…連結部、３６ａ…先端部、３７…接合部、３７ａ…先端部、３８…連結部、３８ａ…先端部、３９…端部、３９ａ…端面部、３９ｂ…連結部、３９ｃ…戸当たり部、３９ｄ…先端部、３９ｃ１…さや部、３９ｃ２…戸当たりゴム、
５…ドア、５１…側面、５２…面部、
６…既設枠、６１…取付面、６２…連結部、６３…（略コ字状部の）支持部（既設枠の戸当たり部）、６３ａ…略コ字状部の開口部、６４…水密材、６５…小孔部、８、９…既設枠、８１ａ、９１ａ…戸当たり部、８１ｂ、９１ｂ…さや部、８１ｃ、９１ｃ…戸当たりゴム（水密材）
１０…（躯体の）開口部
１１…丁番
１３…タッピングネジ
１５…ゴム製ナット、１５ａ、１５ｂ…リング状部、１５ｃ…ナット部、１５ｄ…ゴム部分、
１７…ボルト
１９…取付ねじ
【図１】
0004634330.tif 000002
【図２】
0004634330.tif 000003
【図３】
0004634330.tif 000004
【図４】
0004634330.tif 000005
【図５】
0004634330.tif 000006
【図６】
0004634330.tif 000007
【図７】
0004634330.tif 000008
【図８】
0004634330.tif 000009
【図９】
0004634330.tif 000010
【図１０】
0004634330.tif 000011
【図１１】
0004634330.tif 000012
【図１２】
0004634330.tif 000013
【図１３】
0004634330.tif 000014
【図１４】
0004634330.tif 000015
【図１５】
0004634330.tif 000016
【図１６】
0004634330.tif 000017
【図１７】
0004634330.tif 000018